【手続補正書】
【提出日】平成19年9月26日(2007.9.26)
【手続補正１】
【補正対象書類名】特許請求の範囲
【補正対象項目名】全文
【補正方法】変更
【補正の内容】
【特許請求の範囲】
【請求項１】
対向電極との間に電解質が封入されて色素増感太陽電池を構成する色素増感太陽電池の光電極であって、
光透過性を有し、表面に凹みが形成された基材と、
前記基材の表面上に形成された透明電極膜と、を備え
前記透明電極膜の表面に凹部が形成され、
前記透明電極膜の凹部に多孔性半導体電極膜を形成するとともに、この多孔性半導体電極膜に増感色素を担持させたことを特徴とする色素増感太陽電池の光電極。
【請求項２】
前記透明電極膜の膜厚が略均一に形成され、前記透明電極膜の凹部が前記基材の凹みに倣った形状を有することを特徴とする請求項１に記載の色素増感太陽電池の光電極。
【請求項３】
前記基材が樹脂材料から形成されていることを特徴とする請求項１又は２に記載の色素増感太陽電池の光電極。
【請求項４】
前記基材が射出成形により形成されることを特徴とする請求項３に記載の色素増感太陽電池の光電極。
【請求項５】
前記透明電極膜の凹部は傾斜部を有し、前記透明電極膜の凹部に形成される前記多孔性半導体電極膜内の電子が前記透明電極膜の凹部の最下部まで直線的に移動する場合の距離よりも、前記多孔性半導体電極膜内の電子が前記凹部の前記傾斜部へ最短距離で移動する場合の距離の方が短いことを特徴とする請求項１〜４のいずれかに記載の色素増感太陽電池の光電極。
【請求項６】
前記透明電極膜の凹部は傾斜部を有し、この傾斜部上に形成される前記多孔性半導体電極膜内の電子が前記凹部の前記傾斜部の最下端部まで直線的に移動する場合の距離よりも、前記多孔性半導体電極膜内の電子が前記凹部の前記傾斜部へ最短距離で移動する場合の距離の方が短いことを特徴とする請求項１〜４のいずれかに記載の色素増感太陽電池の光電極。
【請求項７】
請求項１〜６のいずれかに記載の色素増感太陽電池の光電極と、この光電極に対向するように配置された対向電極と、これら光電極と対向電極との間に封入される電解質と、を備えてなることを特徴とする色素増感太陽電池。
【請求項８】
対向電極との間に電解質が封入されて有機太陽電池を構成する有機太陽電池の光電極であって、
光透過性を有し、表面に凹みが形成された基材と、
前記基材の表面上に形成された透明電極膜と、を備え、
前記透明電極膜の表面に凹部が形成され、
前記透明電極膜の前記凹部に導電性高分子層を形成させたことを特徴とする有機太陽電池の光電極。
【請求項９】
前記透明電極膜の膜厚が略均一に形成され、前記透明電極膜の前記凹部が前記基材の前記凹みに倣った形状を有することを特徴とする請求項８に記載の有機太陽電池の光電極。
【請求項１０】
前記基材が樹脂材料から形成されていることを特徴とする請求項８又は９に記載の有機太陽電池の光電極。
【請求項１１】
前記基材が射出成形により形成されることを特徴とする請求項１０に記載の有機太陽電池の光電極。
【請求項１２】
前記透明電極膜の前記凹部は傾斜部を有し、前記透明電極膜の前記凹部に形成される前記導電性高分子層内の電子が前記透明電極膜の前記凹部の最下部まで直線的に移動する場合の距離よりも、前記導電性高分子層内の電子が前記凹部の前記傾斜部へ最短距離で移動する場合の距離の方が短いことを特徴とする請求項８〜１１のいずれかに記載の有機太陽電池の光電極。
【請求項１３】
前記透明電極膜の前記凹部は傾斜部を有し、この傾斜部上に形成される前記導電性高分子層内の電子が前記凹部の前記傾斜部の最下端部まで直線的に移動する場合の距離よりも、前記導電性高分子層内の電子が前記凹部の前記傾斜部へ最短距離で移動場合の距離の方が短いことを特徴とする請求項８〜１１のいずれかに記載の有機太陽電池の光電極。
【手続補正２】
【補正対象書類名】明細書
【補正対象項目名】００１３
【補正方法】変更
【補正の内容】
【００１３】
請求項１の発明は、対向電極との間に電解質が封入されて色素増感太陽電池を構成する色素増感太陽電池の光電極に関するものである。この色素増感太陽電池の光電極は、光透過性を有し、表面に凹みが形成された基材と、前記基材の表面上に形成された透明電極膜とを備えている。そして、前記透明電極膜の表面に凹部が形成されている。また、前記透明電極膜の凹部に多孔性半導体電極膜を形成するとともに、この多孔性半導体電極膜に増感色素を担持させたことを特徴としている。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】変更
【補正の内容】
【００１８】
請求項５の発明は、請求項１〜４のいずれかの発明に係る色素増感太陽電池の光電極において、前記透明電極膜の凹部は傾斜部を有し、前記透明電極膜の凹部に形成される前記多孔性半導体電極膜内の電子が前記透明電極膜の凹部の最下部まで直線的に移動する場合の距離よりも、前記多孔性半導体電極膜内の電子が前記凹部の前記傾斜部へ最短距離で移動する場合の距離の方が短いことを特徴としている。
【手続補正５】
【補正対象書類名】明細書
【補正対象項目名】００１９
【補正方法】変更
【補正の内容】
【００１９】
請求項６の発明は、請求項１〜４のいずれかの発明に係る色素増感太陽電池の光電極において、前記透明電極膜の凹部は傾斜部を有し、この傾斜部上に形成される前記多孔性半導体電極膜内の電子が前記凹部の前記傾斜部の最下端部まで直線的に移動する場合の距離よりも、前記多孔性半導体電極膜内の電子が前記凹部の前記傾斜部へ最短距離で移動する場合の距離の方が短いことを特徴としている。
【手続補正６】
【補正対象書類名】明細書
【補正対象項目名】００２０
【補正方法】変更
【補正の内容】
【００２０】
請求項７の発明は、請求項１〜６のいずれかの発明に係る色素増感太陽電池の光電極と、この光電極に対向するように配置された対向電極と、これら光電極と対向電極との間に封入される電解質と、を備えてなることを特徴とする色素増感太陽電池に関するものである。
【手続補正７】
【補正対象書類名】明細書
【補正対象項目名】００２１
【補正方法】変更
【補正の内容】
【００２１】
請求項８の発明は、対向電極との間に電解質が封入されて有機太陽電池を構成する有機太陽電池の光電極に関するものである。この有機太陽電池の光電極は、光透過性を有し、表面に凹みが形成された基材と、前記基材の表面上に形成された透明電極膜とを備えている。そして、前記透明電極膜の表面に凹部が形成され、前記透明電極膜の前記凹部に導電性高分子層を形成させたことを特徴としている。
【手続補正８】
【補正対象書類名】明細書
【補正対象項目名】００２２
【補正方法】変更
【補正の内容】
【００２２】
請求項９の発明は、請求項８の発明に係る有機太陽電池の光電極において、前記透明電極膜の膜厚が略均一に形成され、前記透明電極膜の前記凹部が前記基材の前記凹みに倣った形状を有することを特徴としている。
【手続補正９】
【補正対象書類名】明細書
【補正対象項目名】００２３
【補正方法】変更
【補正の内容】
【００２３】
請求項１０の発明は、請求項８又は９の発明に係る有機太陽電池の光電極において、前記基材が樹脂材料から形成されていることを特徴としている。
【手続補正１０】
【補正対象書類名】明細書
【補正対象項目名】００２４
【補正方法】変更
【補正の内容】
【００２４】
請求項１１の発明は、請求項１０の発明に係る有機太陽電池の光電極において、前記基材が射出成形により形成されることを特徴としている。
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】変更
【補正の内容】
【００２６】
請求項１２の発明は、請求項８〜１１のいずれかの発明に係る有機太陽電池の光電極において、前記透明電極膜の前記凹部は傾斜部を有し、前記透明電極膜の前記凹部に形成される前記導電性高分子層内の電子が前記透明電極膜の前記凹部の最下部まで直線的に移動する場合の距離よりも、前記導電性高分子層内の電子が前記凹部の前記傾斜部へ最短距離で移動する場合の距離の方が短いことを特徴としている。
【手続補正１３】
【補正対象書類名】明細書
【補正対象項目名】００２７
【補正方法】変更
【補正の内容】
【００２７】
請求項１３の発明は、請求項８〜１１のいずれかの発明に係る有機太陽電池の光電極において、前記透明電極膜の前記凹部は傾斜部を有し、この傾斜部上に形成される前記導電性高分子層内の電子が前記凹部の前記傾斜部の最下端部まで直線的に移動する場合の距離よりも、前記導電性高分子層内の電子が前記凹部の前記傾斜部へ最短距離で移動場合の距離の方が短いことを特徴としている。